(57)【特許請求の範囲】
【請求項１】
底部に嫌気性菌の貯留部を備えた筒状のタンク本体を備えた有機性廃棄物処理槽であって、該タンク本体は、所定の深さだけ地中に埋め込まれており、該タンク本体の上端部には、外部とタンク本体内部とを仕切る仕切りプレートが設けられており、該仕切りプレートには、有機性廃棄物及び前記嫌気性菌を貯留部に投入する投入口と、前記貯留部で発酵分解された溶液を抽出するための抽出パイプを挿通するための挿通孔とを備え、前記挿通孔に挿通される抽出パイプは、下端部に切欠き溝が形成されると共に、前記投入口と前記抽出パイプには、それぞれ開口を開閉するための蓋が設けられていることを特徴とする有機性廃棄物処理槽。
【発明の詳細な説明】
【技術分野】
【０００１】  本発明は、有機性廃棄物処理に関する。
【背景技術】
【０００２】  家庭で出る有機性廃棄物は、一般的に自治体によって処理されるが、家庭菜園や畑、果樹園などの耕作者は、有機性廃棄物の処理に苦慮するがしかし、既存の有機性廃棄物処理装置は、構造が複雑なため、該廃棄物を構成部品点数が少ない簡素な構造で且つ、維持管理の容易な有機性廃棄物処理槽を作成し、該処理槽で処理した廃物を安全な有機肥料として家庭菜園や畑、果樹園などの耕作地へ散布、還元し作物の生育を助けると共に、自治体による該廃棄物の処理費用の軽減にも寄与したい。
本発明の背景には、上記のような問題があった。
【先行技術文献】
【参考文献】
【０００３】
【文献１】
中国特許出願公開第１０２４８５７０３号
【文献２】
特開２０１０−１４２７４２
【文献３】
登録実用新案第３０７３６６２号
【文献４】
登録実用新案第３０１３６１７号
【発明の概要】
【発明が解決しようとする課題】
【０００４】  一般的に、有機性廃棄物の処理は、文献１、文献２、文献３、文献４にあるように、緻密な部品や構成部品点数が多く複雑である為、構成部品点数が少なく簡素な構造で且つ、維持管理の容易な有機性廃棄物処理装置を備えた処理槽を作成し、処理後の廃物を安全な有機肥料として家庭菜園や畑、果樹園などの耕作地へ散布、還元させることを目的とした、有機性廃棄物処理槽を提供することを課題とする。
【課題を解決するための手段】
【０００５】  底部に嫌気性菌の貯留部を備えた筒状のタンク本体を備えた有機性廃棄物処理槽であって、該タンク本体は、所定の深さだけ地中に埋め込まれており、該タンク本体の上端部には、仕切りプレートが設けられており、該仕切りプレートには、有機性廃棄物及び前記嫌気性菌を貯留部に投入する投入口と、前記貯留部で発酵分解された溶液を抽出するための抽出パイプを挿通するための挿通孔とを備え、前記挿通孔に挿通される抽出パイプは、下端部に切欠き溝が形成されると共に、前記投入口と前記抽出パイプには、それぞれ開口を開閉するための蓋が設けられていることを特徴とする有機性廃棄物処理槽を提供しこの課題を解決する。
【発明の効果】
【０００６】  本発明の有機性廃棄物処理槽は、実質的にタンク本体と、仕切りプレートと、該プレートに有機性廃棄物及び嫌気性菌を貯留部に投入する投入口用パイプ、溶液抽出パイプ及び、各パイプの蓋のみの構成で部品点数が少なく簡素な構造であり、該処理槽設置後の維持管理費等は、殆ど皆無である。【０００７】  該処理槽の運用は、最初に該処理槽に嫌気性菌含有の湖沼の堆積物や汚泥を投入し次に、該堆積物や汚泥の約１０倍位の水を投入し柄杓などで撹拌する。以降は、家庭の有機性廃棄物や菜園、畑、果樹園などの有機性廃棄物を投入すると、嫌気性菌が投入物を発酵分解し、投入した該廃棄物は、液化する。残渣を含む該溶液を柄杓で撹拌抽出し更に、所定の濃度に希釈し、安全な有機液肥として家庭菜園や畑、果樹園などの耕作地へ散布、還元することにより、土壌に無数にいる細菌が活性化し作物は、病害虫にも強く健全に生育するため、安全で安心な作物として、その恵みを享受でき更に、化学肥料も軽減し且つ、自治体における該廃棄物の処理費用軽減に寄与するという相乗効果がある。【０００８】  該溶液は、土壌へ散布するのが目的であるが、散布中に作物の葉部に飛散しても、嫌気的条件下で、微生物の作用によって発酵分解された溶液であり、人や環境に安全であり何ら支障はない。
【図面の簡単な説明】
【０００９】
【図１】  本発明処理槽の一部を破断した側面図である。
【図２】  本発明処理槽の一部を破断した斜視図である。
【発明を実施するための形態】
【００１０】  以下、本発明を実施するための形態について私の図面に基づいて説明をする。本発明の有機性廃棄物処理槽であるタンク本体１は、樹脂で形成された筒状の胴体部２と、この胴体部２の上端部に設けられる仕切りプレート３と、前記胴体部２の底部を構成するコンクリートで成形された底部材４とで構成されている。
【００１１】  前記仕切りプレート３には、有機性廃棄物や嫌気性菌を投入する投入口用パイプ５と、前記タンク本体１の底部に溜まった溶液を抽出するための抽出パイプ７用の挿通孔６が設けられている。
尚、抽出パイプの下端部には溶液を抽出し易くするための切欠き溝７ａが複数設けられている。
【００１２】  前記タンク本体１の胴体部２の外壁部には、タンク本体１の内部で発生する微弱なガス（例えば、有機性廃棄物が嫌気性菌によって発酵分解するときに発生する）を排出することが可能な排気管１０が取り付けられている。この排気管１０は、雨水が侵入しないように先端が下方に向けられている。
【００１３】また、前記投入口用パイプ５及び、抽出パイプ７には、雨水の侵入を防ぐための蓋８及び、蓋９が開閉可能に取り付けられる。これによって、タンク本体１は、その内部の嫌気性を保持することができる。
【００１４】  前記した有機性廃棄物処理槽のタンク本体１は、地中に半分程度まで埋められ埋められた状態で使用されるようになる。
【００１５】  次に、本発明のタンク本体１の設置の仕方について以下説明する。タンク本体１の胴体部２は、筒状をした樹脂製のパイプ材で構成されている。このパイプ材の大きさや長さは、投入する有機性廃棄物の量に応じて適宜選択すると良い。そして、この胴体部２は、地中に穴を掘り、この穴の中に半分程度まで埋め込むようにする。
【００１６】  この時、地中に掘った穴の底には、タンク本体１の底部材４を構成するためのコンクリート１１を敷き詰める。そして、このコンクリートの上に胴体部２の下端部を固定させる。これによってタンク本体１の底部が構成される。尚、本発明では、タンク本体１の低部をコンクリート１１で構成したが、樹脂材などで胴体部２と一体形成しても良いものである。
【００１７】  次に、タンク本体１の上端部側に該タンク本体１の内部を仕切るための仕切りプレート３が取り付けられる。この仕切りプレート３は、コンクリートで成形されており、前記した胴体部２の上端部の内壁を削って成形された段差部に固定されるようになっている。この仕切りプレート３は、コンクリート１１で構成するようにしているが、樹脂材などで成形する場合もタンク本体１の内部の嫌気性を保持できれば良いものである。胴体部２の段差部の成形においても、削ることなく押し広げて段差部を成形しても良いものである。
【００１８】  前記した仕切りプレート３に形成されている穴に有機性廃棄物や嫌気性菌を投入するための投入口用パイプ５を差し込み固定する。次に、仕切りプレート３に設けられているもう一つの穴である挿通孔６に前記タンク１の底部に溜まった溶液を抽出するための抽出パイプ７を挿通し固定する。その後に、前記した投入口用パイプ５と、抽出パイプ７に、それぞれ蓋８及び、蓋９を開閉可能な状態で取り付ける。
【００１９】  本処理槽の素材、形状及び構造であるが、素材は、腐食に耐えるものであれば良く、形状も楕円でも矩形でも良い、構造もタンク本体部の嫌気性が保持できればよい。
【００２０】本処理槽運用は、［０００７］で記述した通りである。
【符号の説明】
【００２２１】１、  タンク本体。
２、  樹脂で成形された筒状の胴体部。
３、  仕切りプレート。
４、  底部材。
５、  投入口用パイプ。
６、  溶液抽出パイプ挿通孔。
７、  溶液抽出パイプ。
７ａ、切欠き溝。
８、  投入口用パイプ５の蓋。
９、  溶液抽出パイプ７の蓋。
１０、ガス排気管。
１１、コンクリート。
【要約】      （修正有）【課題】構成部品点数が少なく簡素な構造で且つ、維持管理の容易な有機性廃棄物処理装置を備えた処理槽を作成し、処理後の廃物を安全な有機肥料として家庭菜園や畑、果樹園などの耕作地へ散布、還元させることを目的とした有機性廃棄物処理槽の提供。【解決手段】底部に嫌気性菌の貯留部を備えた筒状のタンク本体１を備えた有機性廃棄物処理槽であって、タンク本体は、所定の深さだけ地中に埋め込まれており、タンク本体の上端部には、仕切りプレート３が設けられており、仕切りプレートには、有機性廃棄物及び嫌気性菌を貯留部に投入する投入口と、貯留部で発酵分解された溶液を抽出するための抽出パイプ７を挿通するための挿通孔とを備え、挿通孔に挿通される抽出パイプは、下端部に切り溝７ａが形成されると共に、投入口と抽出パイプには、それぞれ開口を開閉するための蓋が設けられている。【選択図】図２【図１】
0006784467.tif 000002
【図２】
0006784467.tif 000003